(57)【特許請求の範囲】
【請求項１】
光が透過する複数の光透過部を有し、前記複数の光透過部の各光透過部が複数の表示情報の各表示情報を表す形状に形成されたシートと、
前記シートの背面側に配置され、複数の光源が設置された基板と、
前記基板を前記シートの背面に沿って移動させる移動機構と、
前記複数の表示情報のどの表示情報を表示させるかに応じて、前記移動機構を制御して前記基板を移動させるとともに、前記基板に設けられた複数の光源のうちどの光源を点灯させるかを制御する制御部と
を備えることを特徴とする表示装置。
【請求項２】
空気調和機の室内機であり、
熱交換器を収納する筐体と、
透明樹脂材料で成形されるとともに、光が透過可能な色に塗装され、前記筐体の前面に開閉可能に取り付けられる意匠パネルと、
前記筐体の前面側に配置された請求項１に記載の表示装置と、
を備え、
前記表示装置が表示する前記表示情報を、前記意匠パネルに投影させその前面に表示させることを特徴とする空気調和機の室内機。
【発明の詳細な説明】
【技術分野】
【０００１】
この発明は、光源が発する光を所定の形状に投影して情報を表示する表示装置と、前記表示装置を備える空気調和機の室内機とに関する。
【背景技術】
【０００２】
光を透過する複数の光透過部が、文字、図形、記号状に形成されたシートと、シートの裏側における全ての光透過部に対応する位置にＬＥＤ（Ｌｉｇｈｔ  Ｅｍｉｔｔｉｎｇ  Ｄｉｏｄｅ）が配置された基板とを備える表示装置がある。この表示装置では、表示する情報に応じてＬＥＤが点灯制御される。そして、点灯したＬＥＤに対応する位置に形成された光透過部をＬＥＤが発する光が透過して、所定の平面に投影されることで情報が表示される。
【先行技術文献】
【特許文献】
【０００３】
【特許文献１】実開平１−１６４４８２号公報
【発明の概要】
【発明が解決しようとする課題】
【０００４】
上述した表示装置では、シートに形成されている文字、図形、記号を表示させるために、シートの裏側における全ての文字、図形、記号に対応する位置にＬＥＤを配置する必要があり、多くのＬＥＤが必要となる。表示させる情報が多い場合には、特に多くのＬＥＤが必要となり、コストアップの要因となる。
この発明は、ＬＥＤ等の光源の個数を減らすことを目的とする。
【課題を解決するための手段】
【０００５】
この発明に係る表示装置は、
光が透過する複数の光透過部を有し、前記複数の光透過部の各光透過部が複数の表示情報の各表示情報を表す形状に形成されたシートと、
前記シートの背面側に配置され、光源が設置された基板と、
前記基板を前記シートの背面に沿って移動させる移動機構と、
前記複数の表示情報のどの表示情報を表示させるかに応じて、前記移動機構を制御して前記基板を移動させる制御部と
を備えることを特徴とする。
【発明の効果】
【０００６】
この発明に係る表示装置では、光源が設置された基板を移動させる移動機構を備え、どの表示情報を表示させるかに応じて基板を移動させる。そのため、この表示装置は、全ての光透過部に対応する位置に光源を配置する必要はなく、光源の数を減らすことができる。
【図面の簡単な説明】
【０００７】
【図１】空気調和機の室内機の分解斜視図。
【図２】図１に示す空気調和機の室内機の断面図。
【図３】基本的な構成のＬＥＤ表示装置３の分解斜視図。
【図４】図３に示すＬＥＤ表示装置３の断面図。
【図５】実施の形態１に係るＬＥＤ表示装置３を示す明図。
【図６】図５とは異なる構成のＬＥＤ表示装置３を示す図。
【図７】図５とは異なる構成のＬＥＤ表示装置３を示す図。
【発明を実施するための形態】
【０００８】
実施の形態１．
図１は、空気調和機の室内機の分解斜視図である。
図２は、図１に示す空気調和機の室内機の断面図である。
空気調和機の室内機は、意匠パネル１、筐体２、ＬＥＤ表示装置３、フィルター自動清掃機構４、ドレンパンユニット５、熱交換器６、送風ファン７、電気品箱８、基台９を備える。フィルター自動清掃機構４は、フィルター１０と、ダストボックス１１とを備える。電気品箱８には、ＬＥＤ表示装置３や送風ファン７等を駆動させるための電気部品が収納される。
ドレンパンユニット５、熱交換器６、送風ファン７、電気品箱８は、基台９に固定される。フィルター自動清掃機構４は、熱交換器６の天面側を覆うように配置される。フィルター自動清掃機構４は、天面側で基台９に爪を引っ掛けて固定されるとともに、基台９に装着された熱交換器６にネジ止め固定される。ＬＥＤ表示装置３は、前面側に配置され、ドレンパンユニット５とフィルター自動清掃機構４とに固定される。筐体２は、基台９との間に、ＬＥＤ表示装置３、フィルター自動清掃機構４、ドレンパンユニット５、熱交換器６、送風ファン７、電気品箱８を収納する。筐体２は、基台９、フィルター自動清掃機構４、ＬＥＤ表示装置３にネジ固定される。なお、筐体２の前面側には開口部２ａが設けられ、天面側には開口部２ｂが設けられている。ＬＥＤ表示装置３は、筐体２の開口部２ａ部分に配置される。意匠パネル１は、開閉取り外し可能に筐体２に取り付けられる。
【０００９】
送風ファン７は、筐体２の開口部２ｂを介して室内空気を筐体２の内部へ吸い込む。筐体２の内部へ吸い込まれた室内空気は、熱交換器６によって図示されていない室外機から送られた冷媒と熱交換され、冷気又は暖気となる。そして、送風ファン７は、冷気又は暖気を、フラップを備えるドレンパンユニット５から室内へ送風する。これにより、室内の冷房又は暖房がされる。
フィルター自動清掃機構４が備えるフィルター１０は、筐体２の開口部２ｂと熱交換器６との間、つまり、熱交換器６の風上側に配置されている。そのため、送風ファン７により室内空気が筐体２の内部へ吸い込まれる際、フィルター１０により室内空気中の塵や埃が取り除かれ、塵や埃が熱交換器６に付着するのが防止される。フィルター自動清掃機構４は、フィルター１０に付着した塵、埃を除去する機能を備えている。フィルター自動清掃機構４によって除去された塵、埃は、ダストボックス１１に蓄積される。
【００１０】
図３は、基本的な構成のＬＥＤ表示装置３の分解斜視図である。
図４は、図３に示すＬＥＤ表示装置３の断面図である。
ＬＥＤ表示装置３は、表示部カバー１２、印刷シート１３、基板ホルダー１４、基板１５、表示部ホルダー１７を備える。
基板１５は、基板ホルダー１４にネジ止めされる。基板ホルダー１４の前面側には印刷シート１３が貼り付けられる。そして、印刷シート１３、基板ホルダー１４、基板１５は、表示部ホルダー１７と表示部カバー１２に挟み込まれて固定される。
【００１１】
印刷シート１３には、表示情報を表す文字、記号、図形状の輪郭が複数印刷されている。印刷シート１３は、文字、記号、図形状の輪郭が印刷された部分のみが光を透過する光透過部１８となる。つまり、印刷シート１３のうち、文字、記号、図形状の輪郭が印刷された部分以外は、遮光性である。なお、印刷シート１３には文字、記号、図形状の輪郭が複数印刷されているため、光透過部１８は複数存在する。
基板１５には、全ての文字、記号、図形状の輪郭が印刷された部分、つまり全ての光透過部１８のそれぞれに対応して、ＬＥＤ１６が配置されている。
【００１２】
ＬＥＤ表示装置３は、図示されていない制御部により、表示する表示情報に対応して配置されたＬＥＤ１６のみを点灯させ、その他のＬＥＤ１６を消灯させる。点灯したＬＥＤ１６から発生された光は、対応する光透過部１８を透過して、意匠パネル１に投影される。光透過部１８は、表示情報を表す文字、記号、図形状の輪郭に形成されているため、意匠パネル１には、表示情報を表す文字、記号、図形状の輪郭が投影される。これにより、ＬＥＤ表示装置３は、表示する表示情報を表す文字、記号、図形状の輪郭を意匠パネル１に投影して表示する。
なお、意匠パネル１は、透明樹脂材料で成形されるとともに、光が透過可能な色に塗装されているため、ＬＥＤ表示装置３が表示する表示情報は前面側からも視認可能となる。
【００１３】
図５は、実施の形態１に係るＬＥＤ表示装置３を示す図である。なお、図５では、簡単のため表示部カバー１２と表示部ホルダー１７とを省略している。
図５に示すＬＥＤ表示装置３は、図３に示すＬＥＤ表示装置３の構成に加え、移動機構１９を備える。移動機構１９は、モーター２０、歯車２１、シャフト２２、ベルト２３を備える。基板１５は、移動機構１９のベルト２３に取り付けられている。ＬＥＤ表示装置３は、制御部により、モーター２０を動作させることで、歯車２１、シャフト２２を回転させ、ベルト２３を移動させる。これにより、基板１５を印刷シート１３の背面に沿って横方向（図５のＸ方向）へスライド移動させることができる。
図５に示すＬＥＤ表示装置３では、図３に示すＬＥＤ表示装置３に比べ、基板１５が備えるＬＥＤ１６の数が少ない。つまり、図３に示すＬＥＤ表示装置３では、全ての光透過部１８のそれぞれに対応してＬＥＤ１６が配置されていたが、図５に示すＬＥＤ表示装置３では、同時に点灯させることが必要となる最低限の数のＬＥＤ１６が配置されている。
図５に示すＬＥＤ表示装置３は、制御部により、表示する表示情報に応じて、移動機構１９のモーター２０を制御し、その表示情報を示す光透過部１８の背面へ基板１５を移動させるとともに、その表示情報に対応して配置されたＬＥＤ１６のみを点灯させ、その他のＬＥＤ１６を消灯させる。これにより、ＬＥＤ表示装置３は、表示する表示情報を表す文字、記号、図形状の輪郭を意匠パネル１に投影して表示する。
【００１４】
以上のように、図５に示すＬＥＤ表示装置３では、ＬＥＤ１６の数を減らすことができ、コストダウンすることができる。
【００１５】
なお、上記説明では、光透過部１８は、印刷シート１３に印刷されて形成されるものとして説明した。しかし、光透過部１８は、例えば、孔によって形成されていてもよい。
また、上記説明における移動機構１９の構成は一例であり、他の構成であってもよい。特に、図５では、移動機構１９は基板１５を横方向（図５のＸ方向）にのみ移動可能な構成であったが、上下方向（図５のＹ方向）へも移動可能な構成であってもよい。
【００１６】
また、図５に示すＬＥＤ表示装置３では、全ての表示情報を同時に表示することはできない。したがって、表示する表示情報が多数存在する場合には、基板１５を移動させて各表示情報を順に切り替えて表示することになる。
図６に示すように、光透過部１８Ａの背面のみ移動可能な移動機構１９を備え、光透過部１８Ｂの背面には基板１５を固定して配置してもよい。この場合、光透過部１８Ａによって表される表示情報は順に切り替えて表示することになる。しかし、光透過部１８Ｂによって表される表示情報は、光透過部１８Ａによって表される表示情報と同時に表示することができる。
また、図７に示すように、光透過部１８Ｃの背面のみ移動可能な移動機構１９Ａと、光透過部１８Ｄの背面のみ移動可能な移動機構１９Ｂとを備えてもよい。この場合、光透過部１８Ｃによって表される表示情報は順に切り替えて表示され、光透過部１８Ｄによって表される表示情報も順に切り替えて表示される。しかし、光透過部１８Ｃによって表される表示情報と、光透過部１８Ｄによって表される表示情報とを同時に表示することができる。
【００１７】
以上をまとめると、ＬＥＤ表示装置３は、文字、図形、記号状に光を透過するように縁取られて印刷された印刷シート１３と、ＬＥＤ１６を複数個配置した基板１５が印刷シート１３裏側に沿って移動可能な移動機構１９とを備え、表示目的により印刷シート裏側の指定の位置に基板１５が移動することにより、文字、図形、記号状に印刷シート１３を発光させることを特徴とする。
【符号の説明】
【００１８】
１  意匠パネル、２  筐体、３  ＬＥＤ表示装置、４  フィルター自動清掃機構、５  ドレンパンユニット、６  熱交換器、７  送風ファン、８  電気品箱、９  基台、１０  フィルター、１１  ダストボックス、１２  表示部カバー、１３  印刷シート、１４  基板ホルダー、１５  基板、１６  ＬＥＤ、１７  表示部ホルダー、１８  光透過部、１９  移動機構、２０  モーター、２１  歯車、２２  シャフト、２３  ベルト。
【図１】
0005484110.tif 000002
【図２】
0005484110.tif 000003
【図３】
0005484110.tif 000004
【図４】
0005484110.tif 000005
【図５】
0005484110.tif 000006
【図６】
0005484110.tif 000007
【図７】
0005484110.tif 000008